(57)【要約】【課題】バイパスダイオードの発熱を抑えるとともに効率良く放熱することができ、しかもコンパクトで軽量な車載用太陽電池モジュールを提供する。【解決手段】車載用太陽電池モジュールは、太陽電池セルと、前記太陽電池セルに接続される主回路部と、前記太陽電池セルに影が掛かって抵抗が増大したときに前記主回路部から電流がバイパスされるバイパス回路部７と、を有する。前記バイパス回路部７は、フラットケーブル３と、バイパスダイオード４と、を備える。フラットケーブル３は、平角導体１に絶縁層２が施されてなり、断面扁平形状を呈する。バイパスダイオード４は窒化ガリウムを含む材料で構成されるとともに、前記フラットケーブル３上に実装されている。【選択図】図１
2009295615.tif 000002
【特許請求の範囲】
【請求項１】
太陽電池セルと、
前記太陽電池セルに接続される主回路部と、
前記太陽電池セルに影が掛かって抵抗が増大したときに前記主回路部から電流がバイパスされるバイパス回路部と、
を備える車載用太陽電池モジュールであって、
前記バイパス回路部は、
導体が絶縁被覆されてなり断面扁平形状を呈するフラットケーブルと、
前記フラットケーブル上に実装されたダイオード部と、
を備えることを特徴とする車載用太陽電池モジュール。
【請求項２】
請求項１に記載の車載用太陽電池モジュールであって、
前記ダイオード部は、窒化ガリウム系半導体からなることを特徴とする車載用太陽電池モジュール。
【請求項３】
請求項１又は２に記載の車載用太陽電池モジュールであって、
前記バイパス回路部に電流が流れたときに可視光を発するＬＥＤ部を有することを特徴とする車載用太陽電池モジュール。
【請求項４】
請求項３に記載の車載用太陽電池モジュールであって、
前記ＬＥＤ部と前記ダイオード部とが統合されて一体の半導体部品として構成されていることを特徴とする車載用太陽電池モジュール。
【請求項５】
請求項１から４までの何れか一項に記載の車載用太陽電池モジュールであって、
前記バイパス回路部は、前記ダイオード部のリードを前記導体に接続するためのピアス部を備え、
前記ピアス部は突刺し片を備え、当該突刺し片によって前記ピアス部が前記導体に突刺し状に接続されていることを特徴とする車載用太陽電池モジュール。
【請求項６】
請求項１から５までの何れか一項に記載の車載用太陽電池モジュールであって、
前記フラットケーブルは複数の導体を並列に並べて一括被覆したものであることを特徴とする車載用太陽電池モジュール。
【発明の詳細な説明】
【技術分野】
【０００１】
本発明は、車載用太陽電池モジュールに関する。
【背景技術】
【０００２】
近年、自動車では、蓄電用に太陽電池を利用することが検討されている。図７には、車載用の太陽電池８１をルーフ部に搭載した自動車８２の例が示されている。図７では図示していないが、前記太陽電池の端末部には端子を収納した箱状の部品（端子ボックス）が設けられるのが一般的であり、この端子ボックスの中にはバイパスダイオードと呼ばれる半導体が実装されている。
【０００３】
図８は、従来の太陽電池モジュール１０１を模式的に示したものである。この太陽電池モジュール１０１は、端子ボックス１０３と太陽電池パネル１０２とを主要な構成要素として備えている。
【０００４】
図８では簡略的に描かれているが、前記太陽電池パネル１０２のセルは数ブロックに分割されており、それぞれのブロックの電極が接続電線１０５を介して中間端子１０６に接続されている。太陽電池モジュール１０１は、外部接続電線１０７を介して他の太陽電池モジュールや外部抵抗などに接続されている。
【０００５】
前記中間端子１０６は一列に並べて配置されており、隣接する中間端子１０６の間がバイパスダイオード１０４を介して接続されている。このバイパスダイオード１０４は、それぞれの前記ブロックの並列出力電圧と逆方向になるように接続されることによりバイパス機能を発揮できる構造とされている。
【０００６】
このバイパスダイオード１０４は、あるブロックのみが太陽の影になった場合に逆方向バイアスが生じ、太陽電池セルを破壊することを防ぐためのものである。即ち、セルに逆方向バイアスが生じたときは、当該セルと並列に接続されたバイパスダイオード１０４が、電流を流すバイパス路として機能する。このバイパスダイオード１０４により、太陽電池セルへの不均一な光の入射があっても、影になった部分のセルが過剰に発熱して破損することを防止できる。
【０００７】
バイパスダイオードは上記のように有用なものであるが、発熱量が大きいため、モジュールの設計の際はバイパスダイオードからの放熱を工夫する必要があった。そこで従来から、例えば特許文献１に開示されるように放熱フィンを設置したり、特許文献２の構成のように幅広の放熱部を設けたり、特許文献３が開示するように金属のクリップを用いたりする技術が検討されてきた。
【特許文献１】実用新案登録第３１０８１７９号公報
【特許文献２】特開２００３−３０３９８８号公報
【特許文献３】特開２００６−５９９９０号公報
【発明の開示】
【発明が解決しようとする課題】
【０００８】
しかしながら、上記の特許文献１〜３の構成は何れも、特別な放熱部品を設けたり、筐体自体を大きくしたりする必要があった。従って、従来の技術では、例えば家屋の屋根に載せて用いるための構成においては問題になりにくいものの、小型化及び軽量化が強く要求される車載用の太陽電池モジュールにおける発熱対策としては適切とはいえなかった。従って、上記特許文献の構成は、バイパスダイオードの発熱の問題を良好に解決しつつ、構成を一層簡素化する観点から改善の余地が残されていた。
【０００９】
更に、従来の構成では、太陽電池に影が掛かって発電量が低下した場合でも、そのことを外部から容易に確認できる方法がなく、この点でも改善の余地があった。
【００１０】
本願発明は以上の事情に鑑みてされたものであり、その主要な目的は、バイパスダイオードの発熱を抑えるとともに効率良く放熱することができ、しかもコンパクトで軽量な車載用太陽電池モジュールを提供することにある。
【課題を解決するための手段及び効果】
【００１１】
本発明の解決しようとする課題は以上の如くであり、次にこの課題を解決するための手段とその効果を説明する。
【００１２】
本発明の観点によれば、以下の構成の車載用太陽電池モジュールが提供される。即ち、この車載用太陽電池モジュールは、太陽電池セルと、前記太陽電池セルに接続される主回路部と、前記太陽電池セルに影が掛かって抵抗が増大したときに前記主回路部から電流がバイパスされるバイパス回路部と、を備える。そして、前記バイパス回路部は、導体が絶縁被覆されてなり断面扁平形状を呈するフラットケーブルと、前記フラットケーブル上に実装されたダイオード部と、を備える。
【００１３】
これにより、ダイオード部の熱をフラットケーブルにより放熱させることができる。従って、ダイオード部が温度上昇により破壊されることを防止し、その機能を維持することができる。また、バイパス回路部の導体を表面積の広い断面扁平形状のフラットケーブルに構成することで、当該導体が放熱部材としての役割も兼ねることとなって、小さいスペースで機能を実現することができ、車載用途に特に好適である。更に、防水や防塵が不要な場合等、条件によっては、バイパス回路部を覆う筐体を廃止して一層の簡素化を実現することも期待できる。また、スペースのみならず重量も大幅に削減できるので、車両の軽量化や燃費向上等に顕著に寄与することができる。
【００１４】
前記の車載用太陽電池モジュールにおいては、前記ダイオード部は、窒化ガリウム系半導体からなることが好ましい。
【００１５】
これにより、通常のシリコンダイオードとする構成に比べて、発熱を半分から１桁程度小さくすることができる。従って、ダイオード部が温度上昇により破壊されることを防止し、その機能を維持することができる。また、発熱そのものを抑制しているので、放熱のための構成を更に小型化することができる。
【００１６】
前記の車載用太陽電池モジュールにおいては、前記バイパス回路部に電流が流れたときに可視光を発するＬＥＤ部を有することが好ましい。
【００１７】
これにより、ダイオード部に電流が流れると同時にＬＥＤ部が可視光を発するため、乗員は、太陽電池モジュールの一部に影が掛かったことを容易に知ることができる。従って、乗員は車両を影にならない位置に移動させたり、太陽電池モジュールの角度や位置を移動させるなどの方法で適切に対応することができる。
【００１８】
前記の車載用太陽電池モジュールにおいては、前記ＬＥＤ部と前記ダイオード部とが統合されて一体の半導体部品として構成されていることが好ましい。
【００１９】
これにより、部品点数が減って回路構成が簡素となるため、製造コストの削減及び回路基板の小型化を実現することができる。
【００２０】
前記の車載用太陽電池モジュールにおいては、以下の構成とすることが好ましい。即ち、前記バイパス回路部は、前記ダイオード部のリードを前記導体に接続するためのピアス部を備える。前記ピアス部は突刺し片を備え、当該突刺し片によって前記ピアス部が前記導体に突刺し状に接続されている。
【００２１】
これにより、ダイオード部の実装の際に被覆を剥くことなく、機械的な接合によって短時間で接続できる。従って、加工コストを抑制することができる。また、接合部にハンダを使わなくて済むので、環境負荷の低減ニーズに応えることができる。
【００２２】
前記の車載用太陽電池モジュールにおいては、前記フラットケーブルは複数の導体を並列に並べて一括被覆したものであることが好ましい。
【００２３】
これにより、複数の導体がバラバラになることを防止でき、取扱いが容易になる。また、導体上にダイオード部を実装する際の位置決めが行い易くなるので、組立時の作業性が向上する。
【発明を実施するための最良の形態】
【００２４】
以下に本発明の好適な実施形態について説明する。図１は、本発明の第１実施形態に係る太陽電池モジュールが備える端子ボックスの内部を示す斜視図である。図２（ａ）は端子ボックスの内部構成の一部を示す平面図、図２（ｂ）は同じく側面図である。
【００２５】
最初に、本発明の第１実施形態を説明する。本実施形態の車載用の太陽電池モジュールは例えば合成樹脂製の端子ボックスを備え、この端子ボックスの内部には、当該太陽電池モジュールのバイパス回路部７が収納されている。図１及び図２に示すように、このバイパス回路部７は、フラットケーブル３及び複数のバイパスダイオード（ダイオード部）４を備えている。
【００２６】
前記フラットケーブル３はリボン状に構成されており、その内部に平角導体１が配置されている。この平角導体１に対し、前記バイパスダイオード４が備えるリード４１が、機械的なカシメ部を介して電気的に接続されている。
【００２７】
以下、詳細に説明する。端子ボックスの内部に配置されるフラットケーブル３は、その断面が扁平形状を呈するように構成されている。このフラットケーブル３は、厚みが一様で断面が扁平な矩形である複数の平角導体１を所定のピッチで複数本(図１では４本)並べ、その上に、ＰＥＴ（ポリエチレンテレフタレート）などの絶縁樹脂からなる絶縁層２を一括で被覆することにより構成されている。
【００２８】
それぞれの前記平角導体１は、図略の電線を介して、図示しない太陽電池セルの電極に接続されている。この平角導体１としては、銅や銅合金、アルミやアルミ合金などの金属材料を用いることができる。
【００２９】
以上の構成のフラットケーブル３は、通常の丸断面の電線（丸電線）に比べて、同じ放熱面積でより小さな導体断面積とすることができるため、軽量化を達成することができる。
【００３０】
前記端子ボックスの内部には複数（図１では３個）のバイパスダイオード４が配置され、これらのバイパスダイオード４はフラットケーブル３の上に実装されている。それぞれのバイパスダイオード４はＧａＮ系の材料により形成されており、そのため、通常のＳｉ系のダイオードに比べて順方向抵抗が約１桁小さく、発熱量も１桁程度小さい特性を有している。なお、このようなＧａＮ系のダイオードとしては、例えば特開２００４−３１８９６号公報に記載のものを使用することができる。
【００３１】
このバイパスダイオード４は、フラットケーブル３の厚み方向の一方の面において、当該フラットケーブル３の長手方向に３つ並べて実装されている。放熱効果を高めるため、隣接するバイパスダイオード４同士の間隔は、フラットケーブル３の長手方向に十分な間隔をあけて配置されている。
【００３２】
それぞれのバイパスダイオード４は、放熱を容易とするために矩形板状に形成された本体を備えており、この本体がフラットケーブル３に対して垂直となる姿勢で当該フラットケーブル３に取り付けられている。
【００３３】
また、それぞれのバイパスダイオード４は、前記本体の底部から引き出される２本のリード４１を備えている。この２本のリード４１は、本体近傍においてフラットケーブル３に向かって延びた後に適宜曲げられ、その先端部は前記フラットケーブル３の平角導体１と平行に延出される。この先端部における２本のリード４１の間隔は、前記フラットケーブル３における平角導体１のピッチとほぼ一致させている。
【００３４】
３つの前記バイパスダイオード４は、フラットケーブル３に配置される４本の平角導体１のうち、互いに隣接する２本の平角導体１を接続するように配置されている。具体的には、バイパスダイオード４のそれぞれは、フラットケーブル３の幅方向の一方から数えて１番目と２番目、２番目と３番目、３番目と４番目の平角導体１の間をそれぞれ繋ぐように配置されている。
【００３５】
このため、３つのバイパスダイオード４は、例えば図２（ａ）に示すように、フラットケーブル３の幅方向に平角導体１の１ピッチ分ずつ位置をズラしながら配置されている。隣り合うバイパスダイオード４同士は、フラットケーブル３の長手方向に見たときに、その本体同士が一部重複する位置関係となっている。
【００３６】
以上のように、本実施形態では、バイパスダイオード４としてＧａＮダイオードを用いることで当該バイパスダイオード４からの発熱そのものを抑制し、かつ、発生した熱をフラットケーブル３（平角導体１）によって効果的に放熱させることができるので、端子ボックス内の過剰な昇温を防止することができる。また、導体としてフラットケーブル３を用いることで、軽量化及び小型化を実現することができる。
【００３７】
バイパスダイオード４は上述のとおり２本のリード４１を備えており、このリード４１がフラットケーブル３の平角導体１にピアス端子５を介して電気的に接続される。即ち、バイパスダイオード４をフラットケーブル３上に配置し、図３のようなピアス端子（ピアス部）５をフラットケーブル３に機械的に打ち込むことにより、フラットケーブル３の平角導体１に新生面が生じるとともにピアス端子５表面の金属と接合される。
【００３８】
図３に示すように、ピアス端子５は、略半円弧の板状に形成されたカバー部５１と、その半円弧の両端の部分に一体形成された複数の爪部（突刺し片）５２と、を備えている。前記カバー部５１の内部には、前記バイパスダイオード４のリード４１を収容可能になっている。また、前記爪部５２はほぼ直線状に延びるように形成されるとともに、その先端は尖り形状とされている。
【００３９】
このピアス端子５による突刺し接続は、フラットケーブル３上の所定の位置にバイパスダイオード４のリード４１を位置決めし、前記ピアス端子５をリード４１の上から機械的に下方に向けて打ち込むことにより行われる。これにより、ピアス端子５の爪部５２はフラットケーブル３の絶縁層２を突き破り、扁平な平角導体１及び反対側の絶縁層２を更に貫通して、フラットケーブル３の下部に突出する。
【００４０】
そして、この状態で、ピアス端子５の爪部５２の先端側を内側にカールするように変形させる。これにより、ピアス端子５とフラットケーブル３とが機械的に結合（固定）され、引抜き方向の外力を受けても容易に抜けないようにすることができる。なお、この爪部５２の曲げは単に外力による抜けを防止するためのものであり、仮に曲げを行わなかったとしても、ピアス端子５と平角導体１との電気的な導通は前記の突刺し接続によって確保されている。従って、バイパスダイオード４をフラットケーブル３に保持する手段が別途確保されるのであれば、上述の爪部５２の曲げ作業を省略することもできる。
【００４１】
また、本実施形態において前記ピアス端子５はバイパスダイオード４のリード４１と別部品として構成されているが、予めバイパスダイオード４のリード４１の先端に尖鋭部（ピアス部）を一体的に形成し、当該尖鋭部をフラットケーブル３に突き刺して接続してもよい。このように突刺し状に接続する構成とすることで、バイパスダイオード４をフラットケーブル３上に容易に固定できるとともに、そのリード４１と平角導体１との電気的な接続をも同時に図ることができ、構成の簡素化を良好に実現することができる。
【００４２】
図４（ａ）には、本実施形態の太陽電池モジュールにおいて、端子ボックス及び太陽電池セルが形成する回路図が示されている。なお、本実施形態で用いられている太陽電池セルは周知の構成であるので、ここでは説明を省略する。
【００４３】
図４（ａ）に示すように、太陽電池モジュールは、複数の太陽電池セル６を接続する主回路部１２を備えている。図４（ａ）において太陽電池セル６は３つ備えられており、この３つの太陽電池セル６が前記主回路部１２により直列接続されるとともに、自動車が備える適宜の負荷１１に対し端子ボックス１３内の回路を介して接続される。端子ボックス１３内には、前記フラットケーブル３や３つのバイパスダイオード４等によるバイパス回路部７が配置されている。このバイパス回路部７において、バイパスダイオード４は太陽電池セル６のそれぞれに対して並列に接続される。
【００４４】
この構成で、何れの太陽電池セル６にも影が掛かっていない場合は、図４（ａ）に示す通常発電状態となる。この場合、図中の矢印で示すようにすべての太陽電池セル６に電流が流れ、バイパス回路部７側（バイパスダイオード４）には電流は流れない。
【００４５】
一方、図４（ｂ）には、複数の太陽電池セル６のうち一部（ここでは図の中央のもの）に影が掛かった場合が示されている。このときは中央の太陽電池セル６が抵抗となるが、当該太陽電池セル６よりもバイパスダイオード４の方が低抵抗となるので、矢印で示すようにバイパス回路部７に電流がバイパスされる。これにより、当該太陽電池セル６の破壊を防止できるとともに、他の太陽電池セル６では継続して発電が可能となる。
【００４６】
以上で説明したように、本実施形態の太陽電池モジュールは、複数の太陽電池セル６と、前記太陽電池セル６に接続される主回路部１２と、前記太陽電池セル６に影が掛かって抵抗が増大したときに前記主回路部１２から電流がバイパスされるバイパス回路部７と、を備える。そして、バイパス回路部７は図１等に示すように、平角導体１に絶縁層２が被覆されて構成されるとともに断面扁平形状を呈するフラットケーブル３と、このフラットケーブル３上に実装されたバイパスダイオード４と、を備えている。
【００４７】
これにより、バイパスダイオード４の熱をフラットケーブル３により放熱させることができる。従って、バイパスダイオード４が温度上昇により破壊されることを防止し、その機能を維持することができる。また、バイパス回路部７の導体を表面積の広い断面扁平形状のフラットケーブル３に構成することにより、当該導体（平角導体１）が放熱部材としての役割を兼ねることとなって、小さいスペースで優れた冷却効果を実現することができ、特に車載用途に好適な構成とすることができる。更に、防水や防塵が不要な場合等、条件によっては、端子ボックス１３の筐体自体を廃止して更なる簡素化を図ることも期待できる。また、スペースのみならず重量も大幅に削減できるので、車両の軽量化や燃費向上等に顕著に寄与することができる。
【００４８】
また、また、本実施形態の太陽電池モジュールにおいて、バイパスダイオード４は、窒化ガリウム系半導体から構成されている。
【００４９】
これにより、通常のシリコンダイオードとする構成に比べて、発熱を半分から１桁程度小さくすることができる。従って、バイパスダイオード４が温度上昇により破壊されることを防止し、その機能を維持することができる。また、発熱そのものを抑制しているので、放熱のための構成を更に小型化し、端子ボックス１３の筐体自体も更にコンパクトにすることができる。
【００５０】
また、本実施形態の太陽電池モジュールにおいて、前記バイパス回路部７は、バイパスダイオード４のリード４１を平角導体１に接続するためのピアス端子５を備える。そして、このピアス端子５は爪部５２を備え、当該爪部５２によって前記ピアス端子５が平角導体１に突刺し状に接続されている。
【００５１】
これにより、バイパスダイオード４の実装の際に絶縁層２を剥くことなく、機械的な接合によって短時間で接続できる。従って、加工コストを抑制することができる。また、接合部にハンダを使わなくて済むので、環境負荷の低減ニーズに応えることができる。
【００５２】
また、本実施形態の太陽電池モジュールにおいては、フラットケーブル３は複数の平角導体１を並列に並べて一括被覆したものとして構成されている。
【００５３】
これにより、複数の平角導体１がバラバラになることを防止でき、取扱いが容易になる。また、平角導体１上にバイパスダイオード４を実装する際の位置決めが行い易くなるので、組立時の作業性が向上する。
【００５４】
次に、本発明の第２実施形態について図５及び図６を参照して説明する。なお、この第２実施形態において前記第１実施形態と同一又は類似する構成には、図面に同一の符号を付して説明を省略する場合がある。
【００５５】
この第２実施形態は、前記バイパス回路部に通電されたときに可視光を発するＬＥＤ部を有する構成としたものである。これにより、一部の太陽電池セルに影が掛かってそのセルの発電量が低下した場合は、前記ＬＥＤ部から可視光を発して運転手に報知することができる。
【００５６】
ここで前記ＬＥＤ部は、前記バイパス回路部に配置されるバイパスダイオードと一体的に統合されて単一の半導体部品（チップ）として構成されると、小型化や回路形成の省力化等の効果が大きく、好ましい。このような構成の具体例としては、図５に示すような、バイパスダイオード（ダイオード部）８とＬＥＤ（ＬＥＤ部）９とを隣接状態に備えてなるＧａＮ系半導体ダイオードを挙げることができる。
【００５７】
以下、図５の構成を詳細に説明する。即ち、この図５に示される半導体部品は、バイパスダイオード８と、ＬＥＤ９と、を備えている。前記バイパスダイオード８においては、ＧａＮｎ＋層７７上にＧａＮｎ−層７５が形成され、更にその上に第１アノード電極７２と第２アノード電極７３が形成されている。また、前記ＬＥＤ９においては、前記ＧａＮｎ＋層７７上にＰ層７６が形成され、その上に第３アノード電極７４が形成されている。更に、前記ＧａＮｎ＋層７７の上にはカソード電極７１が適宜形成されている。
【００５８】
この構成で、バイパスダイオード８では電流抵抗が通常の回路より低くなるので、電流が流れ易くなっており、バイパス回路として機能する。即ち、電流は、第１アノード電極７２、第２アノード電極７３、ＧａＮｎ−層７５及びＧａＮｎ＋層７７を経由し、カソード電極７１へ流れる。また、ＬＥＤ９でも電流抵抗が通常の回路より低くなるので、電流が流れるとともに、Ｐ層７６とＧａＮｎ＋層７７の接合部分で発光する。即ち、電流は、第３アノード電極７４、Ｐ層７６及びＧａＮｎ＋層７７を経由し、カソード電極７１へ流れる。
【００５９】
図６には第２実施形態の車載用太陽電池モジュールの回路図が示されている。この図６の構成では、図４と異なり、それぞれのバイパスダイオード８にＬＥＤ９が並列接続されている。この構成により、バイパス回路部７に電流が流れた場合にＬＥＤ９を発光させることができる。
【００６０】
前記ＬＥＤ９は、発光する当該ＬＥＤ９を運転手が車室内から確認できるように、ルーフ部において車室内に向けて配置されている。これにより、運転手は、太陽電池セル６の何れかに影が掛かっていることを容易に知ることができる。なお、図５のように一体的な構成とすることに限定されず、ＧａＮ系のバイパスダイオードと別にＧａＮ系、ＧａＡｓ系、ＩｎＰ系、ＧａＰ系等の発光ダイオードを用意して図６の回路図のように接続しても良いことは勿論である。
【００６１】
以上に示すように、本実施形態の太陽電池モジュールは、バイパス回路部７に電流が流れたときに可視光を発するＬＥＤ９を有する。
【００６２】
これにより、バイパスダイオード８に電流が流れると同時にＬＥＤ９が可視光を発するため、乗員は、太陽電池モジュールの一部に影が掛かったことを容易に知ることができる。従って、乗員は太陽電池セルに影が掛からない位置に車両を移動させたり、発電量を増大させるために太陽電池モジュールの角度や位置を変更する等、適切に対応することができる。
【００６３】
また本実施形態の太陽電池モジュールにおいては、前記ＬＥＤ９とバイパスダイオード８とが統合されて一体の半導体部品として構成されている。
【００６４】
これにより、部品点数が減って回路構成が簡素となるため、製造コストの削減及び回路基板の小型化を実現することができる。
【００６５】
以上に本発明の好適な複数の実施形態を説明したが、上記の構成は例えば以下のように変更することができる。
【００６６】
太陽電池セル６の数は任意に変更することができ、それに応じて、フラットケーブル３における平角導体１の本数や実装されるバイパスダイオード４（バイパスダイオード８）の個数を変更することができる。
【００６７】
バイパスダイオード４における本体及びリード４１の形状は、図１の構成に限定されることなく、適宜変更することができる。また、複数のバイパスダイオード４を、フラットケーブル３の厚み方向両側に配置するように変更することができる。
【００６８】
上記実施形態において、バイパスダイオード４は互いに隣り合う２本の平角導体１を繋ぐように構成されている。しかしながらこれに代えて、例えば１つおきの平角導体１同士をバイパスダイオード４で接続するように変更したり、フラットケーブル３の幅方向両端部の平角導体１同士を繋ぐように変更することができる。
【００６９】
上記実施形態の太陽電池モジュールは、図７のようにルーフ部に設置されることに代えて、他の部分に設置するように変更することができる。また、上記実施形態の太陽電池モジュールは、自動車以外の車両に搭載するように変更することができる。
【図面の簡単な説明】
【００７０】
【図１】本発明の第１実施形態に係る車載用太陽電池モジュールが備える端子ボックスの内部を示す斜視図。
【図２】図２（ａ）は端子ボックスの内部構成の一部を示す平面図。図２（ｂ）は同じく側面図。
【図３】ピアス端子の斜視図。
【図４】図４（ａ）は、第１実施形態に係る車載用太陽電池モジュールの回路図。図４（ｂ）は、一部の太陽電池セルに影が掛かったときに電流がバイパスされる様子を示す図。
【図５】第２実施形態でバイパス回路部に使用される半導体部品の断面図。
【図６】図６（ａ）は、第２実施形態に係る車載用太陽電池モジュールの回路図。図６（ｂ）は、一部の太陽電池セルに影が掛かったときに電流がバイパスされる様子を示す図。
【図７】車載用太陽電池モジュールを自動車に取り付けた状態を示す図。
【図８】太陽電池モジュールにおける従来の端子ボックスの模式図。
【符号の説明】
【００７１】
１  平角導体
２  絶縁層
３  フラットケーブル
４  バイパスダイオード（ダイオード部）
５  ピアス端子（ピアス部）
６  太陽電池セル
７  バイパス回路部
８  バイパスダイオード（ダイオード部）
９  ＬＥＤ（ＬＥＤ部）
１２  主回路部
１３  端子ボックス
５２  爪部（突刺し片）
【図１】
2009295615.tif 000003
【図２】
2009295615.tif 000004
【図３】
2009295615.tif 000005
【図４】
2009295615.tif 000006
【図５】
2009295615.tif 000007
【図６】
2009295615.tif 000008
【図７】
2009295615.tif 000009
【図８】
2009295615.tif 000010